(57)【要約】【課題】多段階の抽選を行う際の遊技興趣を向上させること。【解決手段】パチンコ機１は、第２抽選においてはずれとなった遊技球を振分装置１４ｂに残し、それによって変化する第２抽選確率に対応して、第１抽選確率を変化させることとしている。したがって、最終的な抽選確率を一定としたまま、第２抽選においてはずれとなった遊技球を捕球状態に維持することができ、多段階抽選を行う際の遊技興趣を向上させることが可能となる。即ち、第１抽選確率と第２抽選確率とが一定でなく、対応関係を有しつつ変化することから、遊技者が各段階の抽選に抱く期待度に一定の幅を与えることができる。【選択図】        図１
2004201824.tif 000002
【特許請求の範囲】
【請求項１】
遊技者に有利な状態を発生させるための第１の抽選を行う第１の抽選手段と、前記第１の抽選に続いて、遊技者に有利な状態を発生させるための第２の抽選を行う第２の抽選手段とを備え、前記第１および第２の抽選を含む複数段階の抽選を経て、所定確率で遊技者に有利な状態を発生させる遊技機であって、
前記第１の抽選における抽選確率と、前記第２の抽選における抽選確率とを対応付けて変化させることが可能な抽選確率制御手段を備えることを特徴とする遊技機。
【請求項２】
前記第１の抽選手段あるいは前記第２の抽選手段における一の抽選手段は、機械的な抽選を行う抽選装置であって、
前記抽選確率制御手段は、該抽選装置の抽選結果に応じて、他の抽選手段における抽選確率を変化させることを特徴とする請求項１記載の遊技機。
【請求項３】
前記一の抽選手段は、当たりあるいははずれのいずれかに対応する複数の入球手段を備え、遊技球が入球した入球手段に対応する抽選結果を発生させる抽選を行い、はずれに対応する入球手段に遊技球が入球した場合、該入球手段には遊技球が入球しない状態となって、後続の遊技球に関する機械的な抽選を実行可能であることを特徴とする請求項２記載の遊技機。
【請求項４】
前記一の抽選手段は、前記入球手段として、当たりに対応する捕球穴およびはずれに対応する捕球穴を備える回転盤を含んで構成され、はずれに対応する捕球穴に捕球された遊技球を捕球した状態に維持することにより、他の遊技球が捕球されない状態となることを特徴とする請求項２または３記載の遊技機。
【請求項５】
前記一の抽選手段のはずれに対応する入球手段において遊技球が入球しない状態となっている場合に、遊技球が入球しない状態を解除させ、前記第１および第２の抽選確率を初期状態とするためのリセット手段をさらに備えることを特徴とする請求項３または４記載の遊技機。
【発明の詳細な説明】
【０００１】
【発明の属する技術分野】
本発明は、多段階の抽選を経て、最終的に所定の抽選確率で遊技者に有利な状態を発生させる遊技機に関する。
【０００２】
【従来の技術】
従来、パチンコ機等の遊技機において、多段階の抽選を行うものが知られている。
このような遊技機においては、各段階の抽選確率を一定としておき、それぞれの抽選確率の積を所定の抽選確率とすることで、最終的に当たりとなる抽選確率を一定としている。
【０００３】
また、多段階の抽選に関する技術として、以下の文献に記載された技術が考案されている。
特開平１１−２９９９８７号公報に記載された技術は、当たりを発生させる過程において、一次抽選および二次抽選を行うこととし、その結果発生した当たりの後に、確率変動状態を発生させるか否かを、その一次抽選の結果に応じて決定するものである。
【０００４】
また、特開平１１−２６７２８１号公報に記載された技術は、２度の抽選を経るパチンコ機であって、最初の抽選の結果が当たりである場合、変動入賞口が一定時間開放し、その間に遊技球が入賞すると、２度目の抽選が行われる。そして、２度目の抽選ではずれた場合にも、遊技者に大当たりの期待を与えるため、最初の抽選における一度の当たりに対し、変動入賞口を複数回開放するものである。
【０００５】
【特許文献１】
特開平１１−２９９９８７号公報
【特許文献２】
特開平１１−２６７２８１号公報
【０００６】
【発明が解決しようとする課題】
しかしながら、多段階の抽選を行う遊技機においては、最終的に所定の抽選確率で当たりとなるように調整する必要がある。
そのため、各段階の抽選確率を一定とするべく、各段階において、従前の抽選に関与した遊技球を一旦排除する必要があった。例えば、二次抽選に、１つの当たり穴と複数のはずれ穴とを有する回転体の振分装置を使用した場合、その振分装置には、従前に入賞した遊技球を保持せず、抽選の度に、一旦、遊技球を排出していた。
【０００７】
したがって、各段階における抽選が単調なものとなり、遊技興趣が低下する要因となり得ていた。
ここで、特開平１１−２９９９８７号公報に記載された技術は、確率変動状態を発生させるか否かを、２段階の抽選における一次抽選の結果を利用して決定するものであり、多段階の抽選を行う場合に、最終的な抽選確率を調整するための手段ではなかった。
【０００８】
また、特開平１１−２６７２８１号公報に記載された技術は、２段階抽選における期待度を高めるため、変動入賞口の開放を制御するものであり、この技術も、多段階抽選を行う場合に、最終的な抽選確率を調整する手段ではなかった。
そのため、特開平１１−２９９９８７号公報に記載された技術および特開平１１−２６７２８１号公報に記載された技術においては、各段階における抽選が単調なものとなり、遊技興趣が低下する事態を防止することができなかった。
【０００９】
本発明の課題は、多段階の抽選を行う際の遊技興趣を向上させることである。
【００１０】
【課題を解決するための手段】
以上の課題を解決するため、請求項１記載の発明は、
遊技者に有利な状態を発生させるための第１の抽選を行う第１抽選手段（例えば、図１の第１抽選始動口１２および図３の制御部１０１）と、前記第１の抽選に続いて、遊技者に有利な状態を発生させるための第２の抽選を行う第２抽選手段（例えば、図１の機械式抽選装置１４）とを備え、前記第１および第２の抽選を含む複数段階の抽選を経て、所定確率で遊技者に有利な状態を発生させる遊技機であって、前記第１の抽選における抽選確率と、前記第２の抽選における抽選確率とを対応付けて変化させることが可能な抽選確率制御手段（例えば、抽選制御処理を実行する図３の制御部１０１）を備えることを特徴としている。
【００１１】
請求項２記載の発明は、
請求項１記載の遊技機であって、
前記第１の抽選手段あるいは前記第２の抽選手段における一の抽選手段（例えば、第２の抽選手段としての機械式抽選装置１４）は、機械的な抽選を行う抽選装置であって、前記抽選確率制御手段は、該抽選装置の抽選結果に応じて、他の抽選手段（例えば、第１の抽選手段としての第１抽選始動口１２および制御部１０１）における抽選確率を変化させることを特徴としている。
【００１２】
請求項３記載の発明は、
請求項１または２記載の遊技機であって、
前記一の抽選手段は、当たりあるいははずれのいずれかに対応する複数の入球手段（例えば、図２の当たり穴Ａおよびはずれ穴Ｂ〜Ｆ）を備え、遊技球が入球した入球手段に対応する抽選結果を発生させる抽選を行い、はずれに対応する入球手段に遊技球が入球した場合、該入球手段には遊技球が入球しない状態（例えば、遊技球を保持したままにして他の遊技球を入球不可能とする状態、あるいは、入球口を遮断して、遊技球が入球不可能とする状態）となって、後続の遊技球に関する機械的な抽選を実行可能であることを特徴としている。
【００１３】
請求項４記載の発明は、
請求項２または３記載の遊技機であって、
前記一の抽選手段は、前記入球手段として、当たりに対応する捕球穴およびはずれに対応する捕球穴を備える回転盤（例えば、図２の振分装置１４ｂ）を含んで構成され、はずれに対応する捕球穴に捕球された遊技球を捕球した状態に維持することにより、他の遊技球が捕球されない状態となることを特徴としている。
【００１４】
請求項５記載の発明は、
請求項３または４記載の遊技機であって、
前記一の抽選手段のはずれに対応する入球手段において遊技球が入球しない状態となっている場合に、遊技球が入球しない状態を解除させ、前記第１および第２の抽選確率を初期状態とするためのリセット手段（例えば、図７に示す操作ボタン）をさらに備えることを特徴としている。
【００１５】
本発明によれば、一の抽選段階における抽選確率が変化した場合に、それに対応して、複数段階の他の抽選確率を変化させることとしている。
そのため、各段階における抽選を遊技球それぞれの抽選毎に同一条件に戻すことなく、一の抽選においてはずれとなった場合にも、後続の遊技球に関する抽選において、従前にはずれとなっている影響を残存させること等が可能となる。
【００１６】
したがって、最終的な抽選確率を一定としたまま、各段階における抽選確率に幅を持たせることができるため、複数段階の抽選を行う際の遊技興趣を向上させることが可能となる。
即ち、各段階における抽選確率が一定でなく、対応関係を有しつつ変化することから、遊技者が各段階の抽選に抱く期待度に一定の幅を与えることができる。
【００１７】
【発明の実施の形態】
以下、図を参照して本発明に係る遊技機の実施の形態を詳細に説明する。
図１は、本発明を適用したパチンコ機１の遊技盤面１０の概略構成を示す図である。なお、図１においては、説明に必要な部分を模式的に表すこととする。
図１において、不図示の発射機構から発射された遊技球は、ガイドレール１１に案内されて、遊技盤面１０内の上方に放出される。そして、遊技球は、不図示の風車および釘等に接触して移動方向を変化されながら、一部は、入賞口（不図示）あるいは第１抽選始動口１２に入る。一方、第１抽選始動口１２に入らなかった遊技球は、遊技盤面１０下部に設けられたアウト口１５に入る。
【００１８】
また、入賞口に遊技球が入った場合、所定数の賞球が払い戻され、第１抽選始動口１２に遊技球が入った場合、第１抽選が行われる。
なお、パチンコ機１において、最終的な大当たりの確率は、１／３６０に設定されており、初期状態においては、第１抽選の当たり確率は１／６０である。また、第１抽選の当たり確率は、後述する機械式抽選装置１４の捕球状態によって逐次変化される。この変化の態様については、後に詳細に説明する。
【００１９】
図１に戻り、第１抽選始動口１２に遊技球が入った後、図柄表示装置１３が図柄を変動表示し、第１抽選の結果に応じて各図柄を停止表示する。
そして、第１抽選の結果が当たりである場合、機械式抽選装置１４に備えられた開閉式の入球口１４ａが所定時間だけ開放される。
図２は、機械式抽選装置１４の拡大図である。図２に示すように、機械式抽選装置１４は、入球口１４ａから振分装置１４ｂに通ずる通路を備えており、開放されている入球口１４ａから遊技球が入ると、その通路を通して、遊技球を振分装置１４ｂに突き当たる停留位置に誘導する。
【００２０】
振分装置１４ｂは、周囲に１つの当たり穴Ａ（図２における“Ｖ”ゾーン）と、５つのはずれ穴Ｂ〜Ｆとを等間隔に備える回転体であり、常時、一定方向に回転（図２においては左回転）している。
したがって、振分装置１４ｂの当たり穴Ａおよびはずれ穴Ｂ〜Ｆが、順次、停留位置に停留している遊技球を捕球する状態になり、遊技球は、停留位置に到達した後、最初に捕球状態となった当たり穴Ａもしくははずれ穴Ｂ〜Ｆに捕球されることとなる。
【００２１】
また、振分装置１４ｂは、はずれ穴Ｂ〜Ｆに遊技球を捕球した場合、以後、当たり穴Ａに遊技球が入るまで、はずれ穴Ｂ〜Ｆに遊技球を捕球した状態を維持する。
このとき、振分装置１４ｂは、はずれ穴Ｂ〜Ｆのいずれに遊技球が捕球されているかをセンサ１４ｃによって検出し、後述する主基盤１００の制御部１０１に検出信号を送信する。
【００２２】
一方、当たり穴Ａに遊技球が捕球された場合、大当たりとなり、大入賞口１６が所定時間ずつ、所定回数だけ開閉される。また、当たり穴Ａに遊技球が捕球された時点で、振分装置１４ｂは、捕球している全ての遊技球を遊技盤面外に排出する。
次に、パチンコ機１を制御する制御系統について説明する。
【００２３】
図３は、パチンコ機１の制御系統を示すブロック図である。図３において、パチンコ機１は、パチンコ機１全体の制御に関する部分である主基盤１００と、パチンコ機１に備えられた各種装置（図柄表示装置１３あるいは振分装置１４ｂ等）の直接的な制御に関する部分であるサブ基盤２００とを含んで構成される。
主基盤１００は、制御部１０１と、ＲＯＭ（ReadOnly Memory）１０２と、ＲＡＭ（Random AccessMemory）１０３とを備えている。
【００２４】
制御部１０１は、ＲＯＭ１０２に記憶された、パチンコ機１の制御に関する各種プログラムを実行し、各種装置を制御するための指示信号をサブ基盤２００に送信する。
ＲＯＭ１０２は、パチンコ機１における２段階抽選（第１抽選および機械式抽選装置１４における抽選）の確率を制御するための抽選制御処理プログラムを含む、パチンコ機１を制御するための各種プログラムを記憶している。
【００２５】
ＲＡＭ１０３は、制御部１０１が各種処理を実行する際にワークエリアを形成し、処理に伴う種々のデータを一時的に記憶する。
次に、サブ基盤２００は、第１抽選始動口スイッチ２０１と、図柄表示装置１３と、機械式抽選装置１４と、カウントスイッチ２０２と、大入賞口用ソレノイド２０３とを備えている。サブ基盤２００は、これらの装置に対して、主基盤１００から受信した指示信号を入力したり、これらの装置から出力された信号を主基盤１００に送信したりする機能を有している。
【００２６】
第１抽選始動口スイッチ２０１は、第１抽選始動口１２内に備えられており、遊技球が第１抽選始動口１２に入賞したことを検出する。
カウントスイッチ２０２は、大入賞口１６に入賞した遊技球の数を計数するスイッチである。
大入賞口用ソレノイド２０３は、大当たりの発生に伴い、大入賞口１６を開閉動作させるための機構である。
【００２７】
次に、パチンコ機１の動作について説明する。
まず、パチンコ機１における抽選確率の調整方法について説明する。
上述の通り、パチンコ機１の初期状態において、第１抽選の確率は１／６０であり、機械式抽選装置１４における抽選確率（以下、「第２抽選確率」と言う。）は、６つの穴のうち、１つの当たり穴Ａに入る確率であるから、１／６である。即ち、初期状態において、パチンコ機１の抽選確率は１／６０×１／６＝１／３６０となっており、この抽選確率は不変である。
【００２８】
そして、第１抽選において当たりが発生し、機械式抽選装置１４に遊技球が入ると、その遊技球は、初期状態では１／６の確率（振分装置１４ｂの中心角においては６０度ずつの割合）で当たり穴Ａあるいは５つのはずれ穴Ｂ〜Ｆに入る。このとき、はずれ穴Ｂ〜Ｆのいずれかに遊技球が入ると、振分装置１４ｂは、その遊技球をはずれ穴に捕球したまま回転を続ける。
【００２９】
すると、機械式抽選装置１４における抽選確率は１／６とはならず、いずれのはずれ穴に遊技球が捕球されているかによって異なるものとなる。
即ち、振分装置１４ｂの回転方向は一定であることから、常に、・・・、Ａ、Ｂ、Ｃ、Ｄ、Ｅ、Ｆ、Ａ、Ｂ、・・・の順で停留位置を通過し、そのため、当たり穴Ａに遊技球が入る確率は、当たり穴Ａの前に停留位置を通過するはずれ穴のいくつが連続して遊技球を捕球しているかによって決定される。
【００３０】
具体的には、はずれ穴Ｆが遊技球を捕球していない、初期状態の場合、当たり穴Ａに遊技球が入る確率は１／６（振分装置１４ｂの中心角における６０度分）である。
一方、はずれ穴Ｆが遊技球を捕球し、はずれ穴Ｅが遊技球を捕球していない場合、本来、はずれ穴Ｆに遊技球が入る領域も当たり穴Ａに遊技球が入る領域となるため、当たり穴Ａに遊技球が入る確率は２／６（＝１／３）となる（振分装置１４ｂの中心角における１０２度分）。
【００３１】
さらに、はずれ穴Ｅ，Ｆが遊技球を捕球し、はずれ穴Ｄが遊技球を捕球していない場合、本来、はずれ穴Ｅ，Ｆに遊技球が入る領域も当たり穴Ａに遊技球が入る領域となるため、当たり穴Ａに遊技球が入る確率は３／６（＝２／１）となる（振分装置１４ｂの中心角における１８０度分）。
このように、当たり穴Ａに遊技球が入る確率、即ち、第２抽選確率は、当たり穴Ａの左側に隣接するはずれ穴がいくつ連続して遊技球を捕球した状態となっているかによるものである。他方、当たり穴Ａの左側において初めて表れる、遊技球を捕球していないはずれ穴（以下、「不連続穴」と言う。）より左側のはずれ穴に遊技球が捕球されていても、第２抽選確率には影響しない。
【００３２】
したがって、パチンコ機１においては、振分装置１４ｂがはずれ穴に遊技球を捕球している状態に応じて、第１抽選確率を変化させることとする。
つまり、第２抽選確率が２倍となっている場合、第１抽選確率を半分の１／１０２とするといったように、第１抽選確率と第２抽選確率との積が１／３６０となるように、第１抽選確率を変化させる。
【００３３】
上述の説明より、一般に、第１抽選確率Ｘ、第２抽選確率Ｙ、最終的な大当たり確率Ｚの間には、Ｘ＝Ｚ／Ｙの関係があり、振分装置１４ｂが有する全ての穴（当たり穴１つとその他のはずれ穴の総数）をα、当たり穴Ａの左側に並ぶ、不連続穴の直前までのはずれ穴の数をβとすると、第２抽選確率Ｙ＝（β＋１）／αである。
【００３４】
即ち、第１抽選確率Ｘ＝（Ｚ×α）／（β＋１）なる式に従って変化させることにより、最終的な大当たり確率Ｚを一定としつつ、振分装置１４ｂに遊技球を残して第２抽選を行うことが可能となる。
次に、パチンコ機１の制御部１０１が実行する抽選制御処理について説明する。
【００３５】
抽選制御処理は、制御部１０１が遊技全体を制御するための処理（メインフロー）を実行中に、サブフローとして呼び出される。
図４は、抽選制御処理を示すフローチャートである。
図４において、制御部１０１は、第１抽選始動口１２に遊技球が入賞すると、抽選制御処理を起動する（ステップＳ１）。
【００３６】
そして、制御部１０１は、サブ基盤２００のセンサ１４ｃにおける検出信号を確認し（ステップＳ２）、さらに、制御部１０１は、振分装置１４ｂの捕球状態に応じて、第１抽選確率を決定し、第１抽選を行う（ステップＳ３）。
次に、制御部１０１は、第１抽選の結果が当たりであるか否かの判定を行い（ステップＳ４）、第１抽選の結果がはずれであると判定した場合、メインフローに戻る。
【００３７】
一方、ステップＳ４において、第１抽選の結果が当たりであると判定した場合、制御部１０１は、機械式抽選装置１４の入球口１４ａを所定時間開放する（ステップＳ５）。
続いて、制御部１０１は、振分装置１４ｂの当たり穴Ａに遊技球が入ったか否かの判定を行う（ステップＳ６）。
【００３８】
ステップＳ６において、振分装置１４ｂの当たり穴Ａに遊技球が入っていないと判定した場合、制御部１０１は、メインフローに戻り、振分装置１４ｂの当たり穴Ａに遊技球が入ったと判定した場合、大入賞口１６の開閉を行うと共に、振分装置１４ｂに捕球されている遊技球を全て遊技盤面外に排出し、初期状態とする（ステップＳ７）。そして、制御部１０１は、メインフローに戻る。
【００３９】
次に、ステップＳ２における検出信号の確認方法について説明する。
振分装置１４ｂは、停留位置に遊技球を停留する構成であり、当たり穴Ａもしくははずれ穴Ｂ〜Ｆが順番に捕球可能状態となる。即ち、各時間について見ると、遊技球が入球可能な穴は１つであり、かつ、各穴が捕球可能な状態となる順序が不変である。
【００４０】
したがって、センサ１４ｃの検出信号の確認方法としては、図５に示すように、はずれ穴Ｆからはずれ穴Ｂの順に、センサ１４ｃによって遊技球の有無を確認し（ステップＳ１０１〜Ｓ１０５）、不連続穴が検出された時点で、第２抽選確率（Ｙ）を判定することができる。なお、不連続穴が検出されなかった場合には、５つのはずれ穴Ｂ〜Ｆの全てに遊技球が捕球されていることから、第２抽選は６／６（＝１）と判定することができる。
【００４１】
以上のように、本発明を適用したパチンコ機１は、第２抽選においてはずれとなった遊技球を振分装置１４ｂに残し、それによって変化する第２抽選確率に対応して、第１抽選確率を変化させることとしている。
したがって、最終的な抽選確率を一定としたまま、第２抽選においてはずれとなった遊技球を捕球状態に維持することができ、多段階抽選を行う際の遊技興趣を向上させることが可能となる。
【００４２】
即ち、第１抽選確率と第２抽選確率とが一定でなく、対応関係を有しつつ変化することから、遊技者が各段階の抽選に抱く期待度に一定の幅を与えることができる。
なお、本実施の形態においては、振分装置１４ｂとして、停留位置に遊技球を停留し、当たり穴Ａもしくははずれ穴Ｂ〜Ｆが順番に捕球状態となる構成の例について説明したが、振分装置１４ｂの構成としては、機械式抽選装置１４に入球した遊技球が、いずれの穴にも、同時に、ランダムに入球可能な構成としてもよい。
【００４３】
即ち、振分装置１４ｂを水平に回転可能な状態で設置し、機械式抽選装置１４に入球した遊技球が、振分装置１４ｂの上方から無作為に落下し、等確率でいずれかの穴に入る構成としてもよい。
この場合、抽選制御処理におけるステップＳ２の確認方法は、以下のようになる。
【００４４】
振分装置１４ｂには、いずれの穴にも等確率で遊技球が入ることから、いずれかのはずれ穴が捕球状態にある場合、当たり穴Ａに遊技球が入る確率（第２抽選確率）は単純に増加していく。
即ち、全６穴のうち、遊技球を捕球しているはずれ穴の数をγとすると、当たり穴Ａに遊技球が入る確率は、１／（６−γ）となる。
【００４５】
したがって、センサ１４ｃの検出方法としては、図６に示すように、全てのはずれ穴について、センサ１４ｃによって遊技球の有無を検出し、検出された遊技球の数に応じて第２抽選確率（Ｙ）を判定することができる（ステップＳ２０１〜Ｓ２０６）。なお、検出された遊技球の数が５つである場合、５つのはずれ穴Ｂ〜Ｆの全てに遊技球が捕球されていることから、第２抽選は６／６（＝１）と判定することができる。
【００４６】
また、本実施の形態において、振分装置１４ｂに捕球された遊技球は、当たり穴Ａに遊技球が入った場合に遊技盤面外へ排出されることとして説明したが、最終的な大当たり確率に変動がないことから、遊技者が任意のタイミングで振分装置１４ｂに捕球された遊技球を遊技盤面外に排出させることとしてもよい。
そのための手段として、図７に示すように、パチンコ機１の球受け皿の前面等に、振分装置１４ｂをリセットするための操作ボタンを備えることが可能である。
【００４７】
【発明の効果】
本発明によれば、一の抽選段階における抽選確率が変化した場合に、それに対応して、複数段階の他の抽選確率を変化させることとしている。
そのため、各段階における抽選を遊技球それぞれの抽選毎に同一条件に戻すことなく、一の抽選においてはずれとなった場合にも、後続の遊技球に関する抽選において、従前にはずれとなっている影響を残存させること等が可能となる。
【００４８】
したがって、最終的な抽選確率を一定としたまま、各段階における抽選確率に幅を持たせることができるため、複数段階の抽選を行う際の遊技興趣を向上させることが可能となる。
即ち、各段階における抽選確率が一定でなく、対応関係を有しつつ変化することから、遊技者が各段階の抽選に抱く期待度に一定の幅を与えることができる。
【図面の簡単な説明】
【図１】本発明を適用したパチンコ機１の遊技盤面１０の概略構成を示す図である。
【図２】機械式抽選装置１４の拡大図である。
【図３】パチンコ機１の制御系統を示すブロック図である。
【図４】抽選制御処理を示すフローチャートである。
【図５】センサ１４ｃの検出信号の確認処理を示すフローチャートである。
【図６】センサ１４ｃの検出信号の他の確認処理を示すフローチャートである。
【図７】振分装置１４ｂをリセットするための操作ボタンの構成例を示す図である。
【符号の説明】
１  パチンコ機
１０  遊技盤面
１１  ガイドレール
１２  第１抽選始動口
１３  図柄表示装置
１４  機械式抽選装置
１４ａ  入球口
１４ｂ  振分装置
１４ｃ  センサ
１５  アウト口
１６  大入賞口
１００  主基盤
１０１  制御部
１０２  ＲＯＭ
１０３  ＲＡＭ
２００  サブ基盤
２０１  抽選始動口スイッチ
２０２  カウントスイッチ
２０３  大入賞口用ソレノイド
【図１】
2004201824.tif 000003
【図２】
2004201824.tif 000004
【図３】
2004201824.tif 000005
【図４】
2004201824.tif 000006
【図５】
2004201824.tif 000007
【図６】
2004201824.tif 000008
【図７】
2004201824.tif 000009